(57)【要約】【課題】良好な断熱性を有し、汚れの付着や損傷を防止することができ、長期間の使用に耐える断熱容器を提供する。【解決手段】発泡樹脂製の箱体２と、該箱体２の上方開口部２ａを閉塞する発泡樹脂製の蓋体３と、箱体２の外側面２ｃ及び外底面２ｂの一部を覆う非発泡樹脂製の保護ケース４とを備えた断熱容器１である。箱体２は、外側面２ｃの下方部分であって保護ケース４によって覆われる被覆部２ｅと、外側面２ｃの上方部分であって保護ケース４から露出して被覆部２ｅよりも外方へ突出する露出部２ｆと、該露出部２ｆと被覆部２ｅとの間に形成された段差部２ｇと、を有する。保護ケース４は、箱体２の被覆部２ｅに間隔をあけて対向する側壁４ｃと、箱体２の外底面２ｂに対向する底壁４ｂと、を有する。【選択図】図２
2017119523.tif 000002
【特許請求の範囲】
【請求項１】
発泡樹脂製の箱体と、該箱体の上方開口部を閉塞する発泡樹脂製の蓋体と、前記箱体の外側面及び外底面の一部を覆う非発泡樹脂製の保護ケースとを備えた断熱容器であって、
前記箱体は、前記外側面の下方部分であって前記保護ケースによって覆われる被覆部と、前記外側面の上方部分であって前記保護ケースから露出して前記被覆部よりも外方へ突出する露出部と、該露出部と前記被覆部との間に形成された段差部と、を有し、
前記保護ケースは、前記箱体の前記被覆部に間隔をあけて対向する側壁と、前記箱体の前記外底面に対向する底壁と、を有することを特徴とする断熱容器。
【請求項２】
前記保護ケースの前記側壁の上端部は、前記箱体の前記段差部に当接することを特徴とする請求項１に記載の断熱容器。
【請求項３】
前記箱体の前記被覆部は、上下に延びる溝部を有し、
前記保護ケースの前記側壁は、前記箱体の前記溝部に沿って延び、前記溝部に嵌合するリブを有することを特徴とする請求項１又は請求項２に記載の断熱容器。
【請求項４】
前記保護ケースの前記底壁は、前記箱体の前記外底面の周縁部に当接するとともに前記箱体の前記外底面の一部を露出させる開口部を有することを特徴とする請求項１に記載の断熱容器。
【請求項５】
前記箱体の前記被覆部は、内方へ陥没した箱体把持凹部を有し、
前記保護ケースの前記側壁は、内方へ陥没して前記箱体把持凹部に嵌合するケース把持凹部を有することを特徴とする請求項１又は請求項２に記載の断熱容器。
【請求項６】
前記箱体把持凹部は、上端部に下方へ突出する箱体突起部と該箱体突起部の内方側で上方へ陥没する箱体陥凹部とを有し、
前記ケース把持凹部は、上端部に前記箱体突起部に沿うケース突起部と前記箱体陥凹部に沿うケース陥凹部とを有することを特徴とする請求項５に記載の断熱容器。
【請求項７】
前記ケース把持凹部は、複数のリブを備えたラベル貼付部を有することを特徴とする請求項５に記載の断熱容器。
【発明の詳細な説明】
【技術分野】
【０００１】
本発明は、断熱容器に関する。
【背景技術】
【０００２】
従来から被保冷体又は被保温体を長期間冷却又は加温状態に保持して遠隔地への搬送を可能にする簡便構造の保冷・保温用通い箱及び貯蔵箱が知られている（例えば、下記特許文献１を参照）。特許文献１において、保冷・保温用通い箱及び貯蔵箱は、例えば、発泡スチロール製のケース本体からなることが記載されている。このような発泡樹脂製の断熱容器は、物品を収容した状態で配送先へ搬送され、配送先で物品が取り出された後、配送元へ搬送されて回収され、再利用される。
【先行技術文献】
【特許文献】
【０００３】
【特許文献１】実用新案登録第３１８９６２８号公報
【発明の概要】
【発明が解決しようとする課題】
【０００４】
上記従来の断熱容器は、良好な断熱性を有する反面、表面に微小な凹凸を有する比較的柔軟な発泡樹脂によって形成されていることから、上述のように搬送を繰り返すと、汚れが付着したり、損傷したりする。そのため、上記従来の発泡樹脂製容器は、再利用できる回数が限られ、比較的に短期間で交換が必要になるという課題がある。
【０００５】
本発明は、前記課題に鑑みてなされたものであり、良好な断熱性を有し、汚れの付着や損傷を防止することができ、長期間の使用に耐える断熱容器を提供することを目的とする。
【課題を解決するための手段】
【０００６】
前記目的を達成すべく、本発明の断熱容器は、発泡樹脂製の箱体と、該箱体の上方開口部を閉塞する発泡樹脂製の蓋体と、前記箱体の外側面及び外底面の一部を覆う非発泡樹脂製の保護ケースとを備えた断熱容器であって、前記箱体は、前記外側面の下方部分であって前記保護ケースによって覆われる被覆部と、前記外側面の上方部分であって前記保護ケースから露出して前記被覆部よりも外方へ突出する露出部と、該露出部と前記被覆部との間に形成された段差部と、を有し、前記保護ケースは、前記箱体の前記被覆部に間隔をあけて対向する側壁と、前記箱体の前記外底面に対向する底壁と、を有することを特徴とする。
【０００７】
本発明の断熱容器は、断熱性が高い反面、汚れが付着し易く破損し易い発泡樹脂製の箱体を用いている。しかし、特に汚れが付着し易く破損し易い箱体の外側面の下方部分である被覆部及び外底面の一部は、汚れが付着し難く破損し難い非発泡樹脂製の保護ケースの側壁及び底壁によって覆われる。これにより、発泡樹脂製の箱体の汚れや損傷を抑制し、長期間の使用に耐える断熱容器を提供することができる。
【０００８】
さらに、本発明の断熱容器は、発泡樹脂製の箱体の外側面の上方部分である露出部が、保護ケースから露出している。このため、発泡樹脂製の箱体の上方開口部を発泡樹脂製の蓋体によって閉塞する際に、発泡樹脂製の蓋体と非発泡樹脂製の保護ケースとの干渉が防止され、発泡樹脂製の箱体を発泡樹脂製の蓋体によって密閉することができる。これにより、断熱容器の良好な断熱性を確保することができる。
【０００９】
なお、本発明の断熱容器の上下方向における被覆部の寸法Ｈ１と露出部の寸法Ｈ２との比Ｈ１：Ｈ２は、箱体の汚れを防止する観点から、１：１以上であることが好ましい。また、蓋体と保護ケースとの干渉を防止して断熱容器の密閉性を確保する観点から、比Ｈ１：Ｈ２は、４９：１以下であることが好ましい。
【００１０】
本発明の断熱容器において、保護ケースは、箱体の被覆部に間隔をあけて対向する側壁の上端部が、箱体の露出部と被覆部との間の段差部に当接してもよい。これにより、断熱容器の外側の空気が、保護ケースの側壁の上端部と箱体の段差部との間から、箱体と保護ケースとの間の断熱室へ流入することが抑制され、断熱容器の断熱性を向上させることができる。また、本発明の断熱容器を積み重ねた場合に、上段の断熱容器の荷重を保護ケースによっても受けることができる。
【００１１】
また、本発明の断熱容器において、箱体の被覆部は、上下に延びる溝部を有し、保護ケースの側壁は、箱体の溝部に沿って延び、溝部に嵌合するリブを有してもよい。これにより、保護ケースの上方から保護ケースの内側に箱体を嵌め込む際に、保護ケースの側壁のリブを箱体の溝部に挿入し、箱体を下方側へ案内することができる。また、保護ケースの側壁のリブが、箱体の溝部に嵌合して溝部の底部に当接することで、箱体が保護ケースに対して位置決めされ、保護ケースの側壁と箱体の外側面の被覆部との間の隙間が確保されるとともに、輸送中のガタツキも防止できる。
【００１２】
さらに、本発明の断熱容器は、保護ケースの底壁が箱体の外底面の周縁部に当接してもよい。これにより、容器内に収納された収納物の荷重を保護ケースによって受けることができ、箱体の損傷を抑制することができる。さらに、箱体の段差部及び被覆部、並びに、保護ケースの側壁及び底壁によって画定される断熱室が、箱体と保護ケースとの間に形成され、断熱室内の空気によって断熱容器の良好な断熱性を確保することができる。
【００１３】
さらに、本発明の断熱容器において、保護ケースの底壁は、箱体の外底面の一部を露出させる開口部を有してもよい。これにより、保護ケースの上方から保護ケースの内側に箱体を嵌め込む際に、箱体の外底面と保護ケースの底壁との間の空気を底壁の開口部から逃がすことができ、保護ケースの内側への箱体の嵌め込みを容易にすることができる。また、保護ケースの底壁の開口部によって箱体の外底面への通気性が確保され、箱体の外底面に結露等によって水分が付着しても、箱体の外底面を容易に乾燥させることができる。
【００１４】
また、本発明の断熱容器において、箱体の被覆部は、内方へ陥没した箱体把持凹部を有してもよく、保護ケースの側壁は、内方へ陥没して箱体把持凹部に嵌合するケース把持凹部を有してもよい。これにより、ケース把持凹部を介して箱体把持凹部に指を掛けて断熱容器を持ち運ぶことができ、断熱容器の持ち運びを容易にすることができる。また、箱体把持凹部に嵌合したケース把持凹部を把持して断熱容器を持ち運ぶことで、箱体把持凹部がケース把持凹部によって保護されて損傷が防止されるだけでなく、箱体から保護ケースが外れるのを防止することができる。
【００１５】
また、本発明の断熱容器において、箱体把持凹部は、上端部に下方へ突出する箱体突起部と該箱体突起部の内方側で上方へ陥没する箱体陥凹部とを有してもよい。また、ケース把持凹部は、上端部に箱体突起部に沿うケース突起部と箱体陥凹部に沿うケース陥凹部とを有してもよい。これにより、ケース把持凹部を把持する際に、上端部の内方側のケース陥凹部に指を入れ、その外方側のケース突起部に指を掛けることができ、ケース把持凹部に掛けた指がケース把持凹部から外れるのを防止できる。
【００１６】
また、本発明の断熱容器において、ケース把持凹部は、複数のリブを備えたラベル貼付部を有してもよい。保護ケースの内方に陥没したケース把持凹部のラベル貼付部にラベルを貼付することで、断熱容器の搬送時にラベルに障害物が当たってラベルが損傷するのを防止できる。また、ラベル貼付部が複数のリブを備えることで、ラベル貼付部とラベルの粘着層との接触面積が小さくなり、断熱容器の使用後にラベルを剥離させるのが容易になる。
【発明の効果】
【００１７】
本発明によれば、良好な断熱性を有し、汚れの付着や損傷を防止することができ、長期間の使用に耐える断熱容器を提供することができる。
【図面の簡単な説明】
【００１８】
【図１】本発明の実施形態１に係る断熱容器の分解斜視図。
【図２】図１に示すII−II線に沿う断熱容器の断面図。
【図３】図２に示すIII−III線に沿う断熱容器の断面図。
【図４】図３に示すIV−IV線に沿う断熱容器の断面図。
【図５】図３に示すV−V線に沿う断熱容器の断面図。
【図６】図１に示す断熱容器の箱体を斜め下方から見た斜視図。
【図７】図１に示す断熱容器の保護ケースを上方から見た平面図。
【図８】本発明の実施形態２に係る断熱容器の図２に相当する断面図。
【図９】図８に示す断熱容器の底面斜視図。
【図１０】図８に示す断熱容器を積み重ねた状態を示す断面図。
【図１１】本発明の実施形態３に係る断熱容器の図２に相当する断面図。
【図１２】図１１に示す断熱容器の底面斜視図。
【発明を実施するための形態】
【００１９】
以下、図面を参照して本発明の実施形態を説明する。
【００２０】
［実施形態１］
以下、本発明の断熱容器の実施形態１について、図１から図７を用いて説明する。
【００２１】
図１は、本発明の実施形態に係る断熱容器１の分解斜視図である。図２は、図１に示すII−II線に沿う断熱容器１の断面図である。図３は、図２に示すIII−III線に沿う断熱容器１の断面図である。図４は、図３に示すIV−IV線に沿う断熱容器１の断面図である。図５は、図３に示すV−V線に沿う断熱容器１の断面図である。図６は、図１に示す断熱容器１の箱体２を斜め下方から見た斜視図である。図７は、図１に示す保護ケース４を上方から見た平面図である。
【００２２】
本実施形態の断熱容器１は、発泡樹脂製の箱体２と、該箱体２の上方開口部２ａを閉塞する発泡樹脂製の蓋体３と、箱体２の外側面２ｃ及び外底面２ｂの一部を覆う非発泡樹脂製の保護ケース４とを備えている。断熱容器１は、通常、箱体２の上方開口部２ａを鉛直方向上方に向けて使用するが、これに限定されず、例えば、箱体２の上方開口部２ａを斜め上方や水平方向に向けて使用することも可能である。
【００２３】
箱体２及び蓋体３の素材としては、例えば、ポリスチレン、スチレン改質ポリオレフィン系樹脂、ハイインパクトポリスチレン、スチレン−エチレン共重合体、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等の各種合成樹脂の発泡体を用いることができる。
【００２４】
図１に示すように、箱体２は、概ね長方形の上方開口部２ａを有する概ね直方体の箱形に形成されている。蓋体３は、概ね長方形の板状に形成され、短辺部分の下面側に蓋体３を把持するため凹部３ａが設けられている。箱体２の上方開口部２ａは、図２に示すように、蓋体３によって閉塞される。蓋体３の上面には、周縁部の内側に凹部３ｂが設けられ、蓋体３の下面には周縁部の内側に凸部３ｃが設けられている。
【００２５】
蓋体３及び箱体２は、弾力性に富む発泡樹脂製であるため、蓋体３の下面の凸部３ｃを箱体２の上方開口部２ａの内側に隙間なくぴったりと嵌合させ、蓋体３の下面の周縁部を箱体２の側壁２ｄの上端部に密着させることができる。これにより、箱体２の上方開口部２ａの密閉性を向上させることができる。
【００２６】
箱体２は、外側面２ｃの下方部分であって保護ケース４によって覆われる被覆部２ｅと、外側面２ｃの上方部分であって保護ケース４から露出して被覆部２ｅよりも外方へ突出する露出部２ｆと、該露出部２ｆと被覆部２ｅとの間に形成された段差部２ｇと、を有している。
【００２７】
図５に示すように、箱体２の外底面２ｂ及び内底面２ｐに垂直な箱体２の高さ方向において、箱体２の外底面２ｂから露出部２ｆまでの被覆部２ｅの高さＨ１と、露出部２ｆの下端から上端までの高さＨ２との比Ｈ１：Ｈ２は、例えば１：１から４９：１程度の範囲に設定することができる。すなわち、箱体２の側壁２ｃ全体の高さＨに対する被覆部２ｅの高さＨ１の割合Ｈ１／Ｈは、例えば、概ね０．５以上かつ０．９８以下とすることができる。
【００２８】
箱体２の外側面２ｃの被覆部２ｅは、図２及び図５に示すように、箱体２の上方側から下方側へ向かう方向で箱体２の外方側から内方側へ傾斜する傾斜面２ｈを有してもよい。この傾斜面２ｈにより、箱体２の被覆部２ｅは、上方から下方へ向けて、幅及び奥行がテーパ状に減少する。
【００２９】
箱体２の被覆部２ｅは、図１及び図６に示すように、上下に延びる溝部２ｉを有してもよい。図示の例では、箱体２の長手方向である幅方向に沿う外側面２ｃの被覆部２ｅに、５本の溝部２ｉが所定の間隔で形成されている。なお、溝部２ｉの数は、複数であることが好ましいが、特に限定されない。また、溝部２ｉは、箱体２の短手方向である奥行方向に沿う外側面２ｃの被覆部２ｅに形成してもよい。
【００３０】
溝部２ｉの幅は、図３に示すように、溝部２ｉに嵌合する保護ケース４のリブ４ｒの厚さよりも広くなっている。箱体２の被覆部２ｅに形成された溝部２ｉの底面２ｊは、図４及び図５に示すように、箱体２の上方側から下方側へ向かう方向で箱体２の外方側から内方側へ傾斜している。これにより、溝部２ｉの深さは、箱体２の上方側から下方側へ向かう方向において漸次深くなっている。また、溝部２ｉの下端は、下方に向けて開放されている。
【００３１】
箱体２の被覆部２ｅは、図１及び図６に示すように、内方へ陥没した箱体把持凹部２ｋを有している。箱体把持凹部２ｋは、箱体２の短手方向である奥行方向に沿う外側面２ｃに設けられ、箱体２の長手方向である幅方向の両側に設けられることが好ましい。箱体把持凹部２ｋは、例えば、箱体２の上方側における奥行方向の寸法が箱体２の下方側における奥行方向の寸法よりも小さくなる、概ね台形の形状を有し、下端は箱体２の外底面２ｂに到達して開放されている。また、箱体把持凹部２ｋの底面とその外側の被覆部２ｅとの間の斜辺部分には、傾斜面２ｌが設けられている。
【００３２】
箱体把持凹部２ｋは、図６に示すように、上端部に下方へ突出する箱体突起部２ｍと、該箱体突起部２ｍの内方側で上方へ陥没する箱体陥凹部２ｎとを有している。箱体突起部２ｍは、図２に示すように、箱体把持凹部２ｋの上端部に、箱体陥凹部２ｎよりも箱体２の外方側に設けられている。箱体陥凹部２ｎは、箱体突起部２ｍよりも箱体２の内方側に設けられ、丸みを帯びた凹曲面形状を有している。
【００３３】
箱体把持凹部２ｋ、箱体突起部２ｍ、及び箱体陥凹部２ｎの位置及び寸法は、箱体陥凹部２ｎに嵌合する保護ケース４の厚さ等を考慮して、以下のように設定することができる。例えば、断熱容器１を搬送する搬送者が、人差し指から小指までの先端部を箱体陥凹部２ｎに入れ、保護ケース４を介して箱体突起部２ｍに指を掛け、蓋体３の上部に親指を掛けて断熱容器１を把持することができるように、各部の位置及び寸法を設定することができる。
【００３４】
箱体２の外側面２ｃの露出部２ｆは、図２、図４及び図５に示すように、箱体２の内底面２ｐ及び外底面２ｂに垂直な上下方向に概ね平行な面を有することができる。この場合、箱体２の外側面２ｃの段差部２ｇは、外側面２ｃの露出部２ｆ及び箱体２の上下方向に概ね垂直であり、箱体２の下方を向く当接面２ｑを有することができる。
【００３５】
箱体２は、図６に示すように、外底面２ｂの周縁部の内側に、箱体２の下方に向けて突出する矩形の額縁状の突出部２ｒを有している。これにより、箱体２の外底面２ｂの周縁部と突出部２ｒの下端面との間に、箱体２の上下方向の段差が形成されている。額縁状の突出部２ｒの内側には、箱体２の上方に向けて陥没する凹部２ｓが形成されている。
【００３６】
非発泡樹脂製の保護ケース４は、図１に示すように、概ね直方体の形状を有する箱形に形成され、上部に概ね長方形の上方開口部４ａを有している。保護ケース４は、例えば、熱可塑性樹脂を射出成形することによって製作することができる。保護ケース４の素材としては、例えば、アクリル、ポリアセタール、ポリアミド、ポリエチレン、ポリエチレンテレフタレート、ポリカーボネート、ポリスチレン、ポリフェニレンサルファイド、ポリブチレンテレフタレート、ポリプロピレン、ポリ塩化ビニル、ＡＢＳ樹脂、ＡＳ樹脂等の熱可塑性樹脂を用いることができる。
【００３７】
保護ケース４は、図２から図５に示すように、箱体２の被覆部２ｅに間隔をあけて対向する側壁４ｃと、箱体２の外底面２ｂに対向する底壁４ｂと、を有している。保護ケース４の側壁４ｃは、箱体２の内底面２ｐ及び外底面２ｂに垂直な上下方向並びに箱体２の露出部２ｆに概ね平行に形成することができる。これにより、保護ケース４の側壁４ｃと、傾斜面２ｈを有する箱体２の被覆部２ｅとの間隔は、箱体２の上方側において狭く、箱体２の上方側において広くなっている。
【００３８】
保護ケース４は、上方が開放されて側壁４ｃの上端部に上方開口部４ａを有している。保護ケース４は、側壁４ｃの上端部４ｆに、上方開口部４ａを拡大させるように外方に突出する拡大部４ｄを有してもよい。この拡大部４ｄによって、側壁４ｃの上端部４ｆにおいて、保護ケース４の長手方向である幅方向の寸法及び短手方向である奥行方向の寸法がその他の部分よりも拡大され、上方開口部４ａが外方へ拡張されている。拡大部４ｄの外面、すなわち保護ケース４の上端部４ｆの外面は、箱体２の露出部２ｆの表面と段差なく面一に形成されるか又は箱体２の露出部２ｆの表面よりも外方に突出することが好ましい。拡大部４ｄの内側には、図１、図２及び図４に示すように、上下方向に伸びる複数のリブ４ｅが、上方開口部４ａの周方向に所定の間隔で形成されている。
【００３９】
保護ケース４の側壁４ｃの上端部４ｆは、図２、図４及び図５に示すように、箱体２の段差部２ｇに当接することが好ましい。例えば、保護ケース４の側壁４ｃの上端部４ｆに拡大部４ｄを有する場合には、拡大部４ｄの開口端が箱体２の段差部２ｇの当接面２ｑに当接する。保護ケース４の側壁４ｃの拡大部４ｄと箱体２の被覆部２ｅとの間には隙間Ｇが形成され、この隙間Ｇに拡大部４ｄの内側に設けられた複数のリブ４ｅが配置されている。
【００４０】
保護ケース４の側壁４ｃは、図１、図３、図４及び図５に示すように、箱体２の溝部２ｉに沿って延び、溝部２ｉに嵌合するリブ４ｒを有してもよい。保護ケース４の側壁４ｃのリブ４ｒは、箱体２の溝部２ｉの底面２ｊへ向けて保護ケース４の内方へ突出している。保護ケース４の側壁４ｃのリブ４ｒは、保護ケース４の内方へ突出する高さが、箱体２の溝部２ｉの深さに対応して、箱体２の上方側から下方側へ向かう方向において漸次高くなっている。保護ケース４の側壁４ｃのリブ４ｒは、厚さが箱体２の溝部２ｉの幅よりも薄くなっている。
【００４１】
保護ケース４の側壁４ｃのリブ４ｒの突出高さは、例えば、リブ４ｒの先端が箱体２の溝部２ｉの底面２ｊに当接し、保護ケース４の側壁４ｃと箱体２の被覆部２ｅとの間に０．５ｍｍから２．０ｍｍ程度の隙間Ｇが形成されるように設定することができる。
【００４２】
保護ケース４の側壁４ｃは、図１から図３に示すように、内方へ陥没して箱体把持凹部２ｋに嵌合するケース把持凹部４ｇを有している。ケース把持凹部４ｇは、箱体２の被覆部２ｅの箱体把持凹部２ｋに対応する形状及び寸法を有し、上端部に箱体突起部２ｍに沿うケース突起部４ｈと箱体陥凹部２ｎに沿うケース陥凹部４ｉとを有している。これにより、ケース把持凹部４ｇの上端部は、箱体把持凹部２ｋの上端部に嵌合し、ケース把持凹部４ｇのケース突起部４ｈとケース陥凹部４ｉとを介して、箱体把持凹部２ｋの箱体突起部２ｍと箱体陥凹部２ｎとを把持することができるようになっている。
【００４３】
すなわち、前述のように、箱体把持凹部２ｋ、箱体突起部２ｍ、及び箱体陥凹部２ｎの位置及び寸法は、箱体陥凹部２ｎに嵌合する保護ケース４の厚さ等を考慮して設定されている。例えば、断熱容器１を搬送する搬送者が、ケース陥凹部４ｉを介して人差し指から小指までの先端部を箱体陥凹部２ｎに入れ、ケース突起部４ｈを介して箱体突起部２ｍに指を掛け、蓋体３の上部に親指をかけて断熱容器１を把持することができるように、各部の位置及び寸法が設定される。
【００４４】
具体的には、例えば、蓋体３の上面からケース把持凹部４ｇの上端までの上下方向の距離を、概ね５０ｍｍ程度に設定することができる。また、ケース把持凹部４ｇの深さを、例えば、概ね９ｍｍから１２ｍｍ程度に設定し、ケース把持凹部４ｇの深さ方向におけるケース突起部４ｈとケース陥凹部４ｉとの寸法比を１：１から２：１程度に設定することができる。
【００４５】
保護ケース４の側壁４ｃのケース把持凹部４ｇは、図１から図３に示すように、複数のリブ４ｊを備えたラベル貼付部４ｋを有してもよい。図示の例において、リブ４ｊは保護ケース４の底壁４ｂに垂直な上下方向に沿って形成されているが、リブ４ｊの形成方向は特に限定されず、例えば、保護ケース４の底壁４ｂに平行な横方向や、上下方向及び横方向に対して傾斜した斜め方向であってもよい。複数のリブ４ｊは、先端面に粘着ラベルの貼付が可能なように、各リブ４ｊの先端面が平行でかつケース把持凹部４ｇの底面からの突出高さが同一になるように形成されている。
【００４６】
保護ケース４の底壁４ｂは、図２、図４及び図５に示すように、箱体２の外底面２ｂの周縁部に当接している。保護ケース４の底壁４ｂは、箱体２の外底面２ｂの突出部２ｒを係合させる係合凹部４ｌを有することができる。保護ケース４の底壁４ｂは、内底面４ｍに下方に陥没する係合凹部４ｌが形成され、外底面４ｎに下方に突出する突出部４ｐが形成されている。保護ケース４の突出部４ｐの内側には、箱体２の外底面２ｂの凹部２ｓに対応する凹部４ｑが形成されている。保護ケース４の底壁４ｂは、箱体２の外底面２ｂの周縁部と、箱体２の突出部２ｒの側面及び下端面と、箱体２の凹部２ｓの底面に当接している。
【００４７】
保護ケース４の係合凹部４ｌは、図７に示すように、箱体２の突出部２ｒに対応する額縁状に形成されている。保護ケース４の底壁４ｂは、箱体２の外底面２ｂの一部を露出させる開口部４ｓを有している。より詳細には、保護ケース４の底壁４ｂは、箱体２の外底面２ｂの突出部２ｒとその内側の凹部２ｓの底面の一部を露出させる複数の開口部４ｓを有している。保護ケース４の底壁４ｂは、複数の矩形の開口部４ｓを有し、平面視で長方形の底壁４ｂの対角線に平行で互いに交差する帯状の格子部４ｔを有する格子状に設けられている。保護ケース４の底壁４ｂの複数の開口部４ｓは、互いに交差する帯状の格子部４ｔの間に設けられている。
【００４８】
以下、本実施形態の断熱容器１の作用について説明する。
【００４９】
本実施形態の断熱容器１は、例えば、配送元で箱体２の内部に保温又は保冷が必要な物品が上方開口部２ａから蓄熱材又は蓄冷材とともに収容され、上方開口部２ａが蓋体３によって閉鎖され、配送先に搬送される。また、断熱容器１は、配送先で蓋体３が外されて、箱体２の上方開口部２ａが開放され、箱体２の内部に収容した物品が取り出された後に、配送元へ搬送されて回収され、再利用される。
【００５０】
本実施形態の断熱容器１は、前述のように、発泡樹脂製の箱体２と、該箱体２の上方開口部２ａを閉塞する発泡樹脂製の蓋体３とを備えている。発泡樹脂製の箱体２及び蓋体３は、断熱性が高い反面、汚れが付着し易く破損し易い。特に、発泡樹脂製の箱体２の外側面２ｃの下方部分及び外底面２ｂは、搬送時等に汚れが付着し易く破損し易い。また、発泡樹脂製の箱体２は、高圧洗浄に適さず、回収後の洗浄が困難である。そのため、発泡樹脂製の箱体２の汚れは、断熱容器１の寿命を短くする要因になる。
【００５１】
そこで、本実施形態の断熱容器１は、箱体２の外側面２ｃ及び外底面２ｂの一部を覆う非発泡樹脂製の保護ケース４を備えている。これにより、汚れが付着し易く破損し易い箱体２の外側面２ｃの下方部分である被覆部２ｅ及び外底面２ｂの一部を、汚れが付着し難く破損し難い非発泡樹脂製の保護ケース４の側壁４ｃ及び底壁４ｂによって覆うことができる。また、非発泡樹脂製の保護ケース４は、高圧洗浄が可能であり、洗浄による汚れの除去が容易であるため、洗浄して繰り返し使用することができる。したがって、本実施形態の断熱容器１によれば、発泡樹脂製の箱体２の汚れや損傷を抑制し、長期間の使用に耐えることができる。
【００５２】
また、本実施形態の断熱容器１は、発泡樹脂製の箱体２の外側面２ｃの上方部分である露出部２ｆが、保護ケース４から露出している。このため、発泡樹脂製の箱体２の上方開口部２ａを発泡樹脂製の蓋体３によって閉塞する際に、発泡樹脂製の蓋体３と非発泡樹脂製の保護ケース４との干渉が防止される。これにより、発泡樹脂製の箱体２を発泡樹脂製の蓋体３によって密閉することができ、断熱容器１の良好な断熱性を確保することができる。
【００５３】
特に、断熱容器１の上下方向における被覆部２ｅの寸法Ｈ１と露出部２ｆの寸法Ｈ２との比Ｈ１：Ｈ２を、１：１以上にすることで箱体２の外側面２ｃの下方部分の汚れを効果的に防止することができる。また、断熱容器１の上下方向における被覆部２ｅの寸法Ｈ１と露出部２ｆの寸法Ｈ２との比Ｈ１：Ｈ２を、４９：１以下にすることで、蓋体３と保護ケース４との干渉をより確実に防止して、断熱容器１の密閉性を確保することができる。
【００５４】
また、箱体２の上方部分である露出部２ｆが保護ケース４から露出して被覆部２ｅよりも外方へ突出することで、箱体２から保護ケース４を取り外すときに、箱体２の上方部分である露出部２ｆを保持して箱体２を保護ケース４から抜き出すことができる。このとき、保護ケース４の底壁４ｂが箱体２の外底面２ｂの一部を露出させる開口部４ｓを有することで、開口部４ｓに露出した箱体２の外底面２ｂの一部を押し上げて、箱体２を保護ケース４から押し出すこともできる。これにより、例えば、箱体２と保護ケース４との間に汚れが付着した場合でも、箱体２から保護ケース４を容易に取り外すことができ、汚れを除去することができる。
【００５５】
また、本実施形態の断熱容器１は、保護ケース４の底壁４ｂが箱体２の外底面２ｂの周縁部に当接している。これにより、箱体２の段差部２ｇ及び被覆部２ｅと保護ケース４の側壁４ｃ及び底壁４ｂとによって画定される断熱室Ｈが、図２、図３及び図５に示すように、箱体２と保護ケース４との間に形成され、断熱室Ｈ内の空気によって断熱容器１の良好な断熱性を確保することができる。
【００５６】
また、本実施形態の断熱容器１において、保護ケース４は、箱体２の被覆部２ｅに間隔をあけて対向する側壁４ｃの上端部４ｆが、箱体２の露出部２ｆと被覆部２ｅとの間の段差部２ｇに当接している。これにより、断熱容器１内に収納された収納物の荷重を保護ケース４によって受けることができ、箱体２の損傷を抑制することができる。さらに、断熱容器１の外側の空気が、保護ケース４の側壁４ｃの上端部４ｆと箱体２の段差部２ｇとの間から、箱体２と保護ケース４との間の断熱室Ｈへ流入することが抑制され、断熱容器１の断熱性を向上させることができる。
【００５７】
さらに、本実施形態の断熱容器１において、保護ケース４の底壁４ｂは、箱体２の外底面２ｂの一部を露出させる開口部４ｓを有している。これにより、保護ケース４の上方から保護ケース４の内側に箱体２を嵌め込む際に、箱体２の外底面２ｂと保護ケース４の底壁４ｂとの間の空気を底壁４ｂの開口部４ｓから逃がすことができ、保護ケース４の内側への箱体２の嵌め込みを容易にすることができる。また、保護ケース４の底壁４ｂの開口部４ｓによって箱体２の外底面２ｂへの通気性が確保され、箱体２の外底面２ｂに結露等によって水分が付着しても、箱体２の外底面２ｂを容易に乾燥させることができる。
【００５８】
また、本実施形態の断熱容器１において、箱体２の被覆部２ｅは、上下に延びる溝部２ｉを有し、保護ケース４の側壁４ｃは、箱体２の溝部２ｉに沿って延び、溝部２ｉに嵌合するリブ４ｒを有している。これにより、保護ケース４の上方から保護ケース４の内側に箱体２を嵌め込む際に、保護ケース４の側壁４ｃのリブ４ｒを箱体２の溝部２ｉに挿入し、箱体２を下方側へ案内することができる。また、保護ケース４の側壁４ｃのリブ４ｒが、箱体２の溝部２ｉに嵌合して溝部２ｉの底面２ｊに当接することで、箱体２が保護ケース４に対して位置決めされ、保護ケース４の側壁４ｃと箱体２の外側面２ｃの被覆部２ｅとの間の隙間Ｇが確保されるとともに、輸送中のガタツキも防止できる。
【００５９】
また、本実施形態の断熱容器１において、箱体２の被覆部２ｅは、内方へ陥没した箱体把持凹部２ｋを有し、保護ケース４の側壁４ｃは、内方へ陥没して箱体把持凹部２ｋに嵌合するケース把持凹部４ｇを有している。これにより、ケース把持凹部４ｇを介して箱体把持凹部２ｋに指を掛けて断熱容器１を持ち運ぶことができ、断熱容器１の持ち運びを容易にすることができる。また、箱体把持凹部２ｋに嵌合したケース把持凹部４ｇを把持して断熱容器１を持ち運ぶことで、箱体把持凹部２ｋがケース把持凹部４ｇによって保護されて損傷が防止されるだけでなく、箱体２から保護ケース４が外れるのを防止することができる。
【００６０】
また、本実施形態の断熱容器１において、箱体把持凹部２ｋは、上端部に下方へ突出する箱体突起部２ｍと該箱体突起部２ｍの内方側で上方へ陥没する箱体陥凹部２ｎとを有している。また、ケース把持凹部４ｇは、上端部に箱体突起部２ｍに沿うケース突起部４ｈと箱体陥凹部２ｎに沿うケース陥凹部４ｉとを有している。これにより、ケース把持凹部４ｇを把持する際に、上端部の内方側のケース陥凹部４ｉに指を入れ、その外方側のケース突起部４ｈに指を掛けることができ、ケース把持凹部４ｇに掛けた指がケース把持凹部４ｇから外れるのを防止できる。
【００６１】
また、本実施形態の断熱容器１において、ケース把持凹部４ｇは、複数のリブ４ｊを備えたラベル貼付部４ｋを有している。保護ケース４の内方に陥没したケース把持凹部４ｇのラベル貼付部４ｋにラベルを貼付することで、断熱容器１の配送時にラベルに障害物が当たってラベルが損傷するのを防止できる。また、ラベル貼付部４ｋが複数のリブ４ｊを備えることで、ラベル貼付部４ｋとラベルの粘着層との接触面積が小さくなり、断熱容器１の使用後にラベルを剥離させるのが容易になる。
【００６２】
また、本実施形態の断熱容器１において、保護ケース４は、側壁４ｃの上端部４ｆに、上方開口部４ａを拡大させるように外方に突出する拡大部４ｄを有している。また、箱体２の外側面２ｃの被覆部２ｅは、箱体２の上方側から下方側へ向かう方向で箱体２の外方側から内方側へ傾斜する傾斜面２ｈを有している。これにより、保護ケース４の上方開口部４ａと、箱体２の外側面２ｃの被覆部２ｅの下端部との間の寸法的な余裕を大きくすることができ、保護ケース４の上方開口部４ａの上方から、保護ケース４の内側に箱体２を容易に嵌め込むことができる。
【００６３】
また、保護ケース４の拡大部４ｄの外面、すなわち保護ケース４の上端部４ｆの外面は、箱体２の露出部２ｆの表面と段差なく面一に形成されるか又は箱体２の露出部２ｆの表面よりも外方に突出することが好ましい。これにより、例えば、断熱容器１を搬送ラインに載せたときに、断熱容器１同士が接触しても、保護ケース４の上端部４ｆの外面が接触し、箱体２の接触が防止できる。したがって、断熱容器１の箱体２の損傷を抑制することができる。
【００６４】
また、本実施形態の断熱容器１において、保護ケース４は、側壁４ｃの上端部４ｆの拡大部４ｄの内側に複数のリブ４ｅを有している。これにより、保護ケース４の拡大部４ｄがリブ４ｅによって補強され、保護ケース４の上方開口部４ａの損傷が防止される。また、保護ケース４の側壁４ｃは、複数のリブ４ｒ及びケース把持凹部４ｇによっても補強され、破損が防止される。
【００６５】
また、保護ケース４の底壁４ｂは、額縁状に形成された係合凹部４ｌ及び突出部４ｐによって補強されるだけでなく、平面視で格子状に設けられた格子部４ｔによって必要な強度を確保することができる。また、箱体２の突出部２ｒ及び凹部２ｓ並びに保護ケース４の底壁４ｂの突出部４ｐ及び凹部４ｑによって、断熱容器１が載置された載置面と保護ケース４の底壁４ｂとの間に空間を形成し、保護ケース４の底壁４ｂが載置面に接触する面積を低減することができる。これにより、保護ケース４の底壁４ｂの汚れや損傷を低減することができる。
【００６６】
また、保護ケース４の底壁４ｂは、突出部４ｐを有し、蓋体３の上面には、凹部３ｂが設けられている。そのため、複数の断熱容器１を上下に積み重ねるときに、下段の断熱容器１の蓋体３の凹部３ｂの内側に、上段の断熱容器１の保護ケース４の突出部４ｐを嵌合させ、複数の断熱容器１を安定して積み重ねることができる。このとき、蓋体３が、比較的柔軟な発泡樹脂製であるため、蓋体３の凹部３ｂの内側に、上段の断熱容器１の保護ケース４の突出部４ｐを嵌合させるのが容易になる。
【００６７】
以上のように、本実施形態の断熱容器１によれば、良好な断熱性を有し、汚れの付着や損傷を防止することができ、長期間の使用に耐える断熱容器１を提供することができる。
【００６８】
［実施形態２］
次に、本発明の断熱容器の実施形態２について、図１から図７を援用し、図８から図１０を用いて説明する。
【００６９】
図８は、本実施形態の断熱容器１Ａの図２に相当する断面図である。図９は、図８に示す断熱容器１Ａの底面斜視図である。なお、図９では、箱体２Ａから蓋体３を取り外した状態を示している。
【００７０】
本実施形態の断熱容器１Ａは、箱体２Ａが、保護ケース４Ａの底壁４ｂの開口部４ｓ内に突出する凸部２ｔを有する点と、保護ケース４Ａが、底壁４ｂにリブ４ｖを有する点で、前述の実施形態１で説明した断熱容器１と異なっている。本実施形態の断熱容器１Ａのその他の点は、前述の実施形態１の断熱容器１と同様であるため、同一の部分には同一の符号を付して説明を省略する。
【００７１】
本実施形態の断熱容器１Ａにおいて、箱体２Ａは、外底面２ｂから保護ケース４Ａの開口部４ｓ内に突出する複数の凸部２ｔを有している。凸部２ｔの側面と保護ケース４Ａの開口部４ｓとの間には、隙間が形成されている。保護ケース４Ａは、底壁４ｂの突出部４ｐ及び凹部４ｑに格子状に設けられたリブ４ｖを有している。リブ４ｖは、保護ケース４Ａを平坦な面に配置したときに、その面に下端が接する高さに形成されている。
【００７２】
リブ４ｖによって囲まれた保護ケース４Ａの底壁４ｂの開口部４ｓの内側には、箱体２Ａの外底面２ｂに設けられた凸部２ｔが配置されている。凸部２ｔは、保護ケース４Ａを平坦な面に配置したときに、その面に下端面が接する高さに形成されている。すなわち、箱体２Ａの外底面２ｂの凸部２ｔの下端面は、保護ケース４Ａのリブ４ｖの下端と、段差なく面一に形成されている。
【００７３】
図１０は、本実施形態の断熱容器１Ａを積み重ねた状態を示す断面図である。
【００７４】
本実施形態の断熱容器１Ａは、例えば、箱体２Ａから蓋体３を取り外した状態で、複数の断熱容器１Ａを積み重ねることができる。まず、下段の断熱容器１Ａを、箱体２Ａの開口部２ａを上方に向けて配置する。次に、下段の断熱容器１Ａの上に、上下を逆さにした断熱容器１Ａを積み重ねる。これにより、上下の断熱容器１Ａの箱体２Ａの開口部２ａが合わされ、上下の断熱容器１Ａの箱体２Ａの内側に広い空間が形成される。この上下の断熱容器１Ａの箱体２Ａの内側に、別の断熱容器１Ａを収容することもできる。
【００７５】
さらに、上下を逆さにして積み重ねられた２段目の断熱容器１Ａの上に、３段目の断熱容器１Ａを積み重ねることができる。このとき、上下逆さの２段目の断熱容器１Ａの保護ケース４Ａの底壁４ｂの開口部４ｓの内側には、箱体２Ａの外底面２ｂから突出する凸部２ｔが露出している。また、３段目の断熱容器１Ａの保護ケース４Ａの底壁４ｂの開口部４ｓの内側にも、箱体２Ａの外底面２ｂから突出する凸部２ｔが露出している。
【００７６】
そのため、上下逆さの２段目の断熱容器１Ａの上に、３段目の断熱容器１Ａを積み重ねるときに、保護ケース４Ａの底壁４ｂの開口部４ｓに露出した箱体２Ａの凸部２ｔの端面同士が接した状態になる。箱体２Ａは、発泡樹脂製であり、箱体２Ａの凸部２ｔの端面は、非発泡樹脂製の保護ケース４Ａの表面と比較して、摩擦係数が大きい。これにより、本実施形態の断熱容器１Ａでは、比較的に摩擦係数が低い保護ケース４Ａの底壁４ｂの開口部４ｓから突出した箱体２Ａの凸部２ｔが、滑り止めとして機能する。
【００７７】
したがって、本実施形態の断熱容器１Ａによれば、実施形態１の断熱容器１と同様の効果が得られるだけでなく、上下に積み重ねた断熱容器１Ａ同士の滑りを抑制して、安定して積み重ねることができる。また、保護ケース４Ａのリブ４ｖは、底壁４ｂを補強するだけでなく、リブ４ｖの下端と箱体２Ａの凸部２ｔの下端面が段差なく面一に形成されているため、リブ４ｖよって箱体２Ａの凸部２ｔを保護することができる。
【００７８】
［実施形態３］
次に、本発明の断熱容器の実施形態３について、図１から図７を援用し、図１１及び図１２を用いて説明する。
【００７９】
図１１は、本実施形態の断熱容器１Ｂの図２に相当する断面図である。図１２は、図１１に示す断熱容器１Ｂの底面斜視図である。なお、図１２では、箱体２Ｂから蓋体３を取り外した状態を示している。
【００８０】
本実施形態の断熱容器１Ｂは、保護ケース４Ｂが、底壁４ｂの中央部に比較的大きな開口部４ｗを有する点、底壁４ｂの突出部４ｐに凹凸４ｘ及び滑り止め４ｙを有する点、及び、箱体２Ｂが、保護ケース４Ｂの開口部４ｗ内に突出する凸部２ｔを有する点で、前述の実施形態１で説明した断熱容器１と異なっている。本実施形態の断熱容器１Ｂのその他の点は、前述の実施形態１の断熱容器１と同様であるため、同一の部分には同一の符号を付して説明を省略する。
【００８１】
本実施形態の断熱容器１Ｂは、保護ケース４Ｂが、底壁４ｂの中央部に比較的大きな開口部４ｗを有し、箱体２Ｂが、保護ケース４Ｂの開口部４ｗ内に突出する凸部２ｔを有している。そのため、前述の実施形態２の断熱容器１Ａと同様に、箱体２Ｂの凸部２ｔが滑り止めとして機能し、比較的に摩擦係数の小さい保護ケース４Ｂの底壁４ｂ同士を重ねる場合にも、複数の断熱容器１Ｂを安定して積み重ねることができる。
【００８２】
また、本実施形態の断熱容器１Ｂは、保護ケース４Ｂの底壁４ｂの突出部４ｐに凹凸４ｘ及び滑り止め４ｙを有している。凹凸４ｘは、例えば、シボ加工によって形成することができる。また、滑り止め４ｙは、例えば、Ｌ字形のゴム等によって形成され、保護ケース４Ｂの底壁４ｂの突出部４ｐにおいて、四隅に固定されている。
【００８３】
これにより、前述の実施形態２の断熱容器１Ａと同様に、複数の断熱容器１Ｂを積み重ねたときに、保護ケース４Ｂの凹凸４ｘ同士が噛み合って、断熱容器１Ｂの滑りが防止される。すなわち、保護ケース４Ｂの底壁４ｂの突出部４ｐに設けられた凹凸４ｘが滑り止めとして機能する。また、滑り止め４ｙ同士が接して、断熱容器１Ｂの滑りが防止される。したがって、より確実に断熱容器１Ｂの滑りを防止することができ、より安定して複数の断熱容器１Ｂを積み重ねることができる。
【００８４】
以上、図面を用いて本発明の実施の形態を詳述してきたが、具体的な構成はこの実施形態に限定されるものではなく、本発明の要旨を逸脱しない範囲における設計変更等があっても、それらは本発明に含まれるものである。
【符号の説明】
【００８５】
１    断熱容器
２    箱体
２ａ  上方開口部
２ｂ  外底面
２ｃ  外側面
２ｅ  被覆部
２ｆ  露出部
２ｇ  段差部
２ｉ  溝部
２ｋ  箱体把持凹部
２ｍ  箱体突起部
２ｎ  箱体陥凹部
３    蓋体
４    保護ケース
４ｂ  底壁
４ｃ  側壁
４ｆ  上端部
４ｇ  ケース把持凹部
４ｈ  ケース突起部
４ｉ  ケース陥凹部
４ｊ  リブ
４ｋ  ラベル貼付部
４ｒ  リブ
４ｓ  開口部
【図１】
2017119523.tif 000003
【図２】
2017119523.tif 000004
【図３】
2017119523.tif 000005
【図４】
2017119523.tif 000006
【図５】
2017119523.tif 000007
【図６】
2017119523.tif 000008
【図７】
2017119523.tif 000009
【図８】
2017119523.tif 000010
【図９】
2017119523.tif 000011
【図１０】
2017119523.tif 000012
【図１１】
2017119523.tif 000013
【図１２】
2017119523.tif 000014